(57)【要約】【課題】折れ戸を閉じる際に減速させつつ確実に閉成位置に固定できると共に、全開時にも固定できる回転折れ戸を提供する。【解決手段】第１扉と第２扉は閉成時に扉枠を含む鉛直面内に隣接配置されると共に、前記第１扉と第２扉は、両者を連結する縦連結枠部材の上下端部に設けられたヒンジ手段により折り畳み可能に構成される回転折れ戸であって、前記ヒンジ手段は、互いに噛み合う一対の歯車と、前記歯車とともに同軸で一体回動する一対のアーム材を有してなり、前記第１扉と第２扉は、上下端部において前記各アーム材に固定されて前記縦連結枠部材の外周面と所定間隔を有して回動可能に構成されると共に、前記ヒンジ手段は連動するラッチ機構が併設され、前記第１扉と第２扉とが１８０度及び平行状態になった場合に係合保持されるよう構成されたので、折れ戸を閉じる際に減速させつつ完全な閉成位置に確実に固定できると共に、全開時にも固定できる。【選択図】図１
2015212493.tif 000002
【特許請求の範囲】
【請求項１】
第１扉と第２扉は閉成時に扉枠を含む鉛直面内に隣接配置されると共に、前記第１扉と第２扉は、両者を連結する縦連結枠部材の上下端部に設けられたヒンジ手段により折り畳み可能に構成される回転折れ戸であって、
前記ヒンジ手段は、互いに噛み合う一対の歯車と、前記歯車とともに同軸で一体回動する一対のアーム材を有してなり、前記第１扉と第２扉は、上下端部において前記各アーム材に固定されて前記縦連結枠部材の外周面と所定間隔を有して回動可能に構成されると共に、
前記ヒンジ手段は連動するラッチ機構が併設され、前記第１扉と第２扉とが１８０度及び平行状態になった場合に係合保持されるよう構成されたことを特徴とする回転折れ戸。
【請求項２】
前記ラッチ機構は、前記ヒンジ手段の歯車とともに同軸で一体回動する一対のラッチ軸と、該ラッチ軸と共に回動する一対のラッチ円盤と、該ラッチ円盤から突出退避可能に配設されたラッチ爪の係合する係合部を有するラッチハウジングと備えたことを特徴とする請求項１に記載の回転折れ戸。
【請求項３】
前記ラッチ機構は、前記それぞれのラッチ円盤に配設されたラッチ爪が対向する位置及び対向する位置から時計方向、或いは反時計方向に９０度回転した位置にそれぞれ係合部を備えたことを特徴とする請求項１または２に記載の回転折れ戸。
【請求項４】
前記係合部は、前記ラッチハウジングに設けられたことを特徴とする請求項２または３に記載の回転折れ戸。
【請求項５】
前記ラッチ機構は、前記ヒンジ手段の歯車とともに同軸で一体回動する一対のラッチ軸と、該ラッチ軸と共に回動する一対のラッチ円盤と、該ラッチ円盤の所定の位置に配設された磁石と、前記ラッチ円盤に配設された磁石と吸着しラッチ円盤を保持する逆極性の磁石を備えたラッチハウジングを備えたことを特徴とする請求項１に記載の回転折れ戸。
【請求項６】
前記第２扉は、前記扉枠に回転可能に軸支されると共に、ドアクローザを設置したことを特徴とする請求項１〜５の何れか１に記載の回転折れ戸。
【発明の詳細な説明】
【技術分野】
【０００１】
この発明は、第１扉と第２扉とが閉成時に扉枠を含む鉛直面内に隣接配置されると共に、縦連結枠部材とヒンジ手段で連結されて折り畳み可能に構成される回転折れ戸に関するものである。
【背景技術】
【０００２】
従来、回転折れ戸には、扉面の裏表の双方向へ折りたためる構成のものが存在する。
例えば、特許文献１に示すような回転折れ戸は、第１扉と第２扉をヒンジ手段により連結すると共に、このヒンジ手段は、互いに噛み合う一対の歯車と、前記歯車とともに同軸で回動する一対のアーム材を有してなり、第１扉と第２扉は、上下端部において各アーム材に固定されて縦連結枠部材の外周面と各縦枠材の幅方向の両端の突出部との間に所定間隔の隙間を有して回動可能に構成され、前記各縦枠材の各突出部に前記隙間を塞ぐためのスペーサが長さ方向に沿って装着されて、前記各スペーサが前記各歯車の軸を中心に前記縦連結枠部材の外周面に沿って回動するように構成されている。（特許文献１）。
【先行技術文献】
【特許文献】
【０００３】
【特許文献１】特許第４４１２６７７号公報
【発明の概要】
【発明が解決しようとする課題】
【０００４】
しかし、従来の特許文献１の場合では、ヒンジ内部カムと軸の遊びが存在するために、第１扉と第２扉の閉成時に所定の位置へ安定して戻らない場合が存在した。また、扉の閉成状態を保持するためにローラ錠等を使用する場合、閉成状態までしっかりと閉まらないと云う欠点が存在した。更に、扉にレバーハンドルを使用した場合には、扉を双方向に開くには不便である上に車椅子の利用者や高齢者の使用には適していなかった。
【０００５】
この発明は、上記したような不都合を解消する為になされたもので、第１扉と第２扉とを連結する縦連結枠部材の上下端部に設けられたヒンジ手段は、互いに噛み合う一対の歯車と、この歯車とともに同軸で一体回動する一対のアーム材を有すると共に、このヒンジ手段には連動するラッチ機構が併設され、第１扉と第２扉とが１８０度及び平行状態になった場合に係合保持されるよう構成されたので、確実に閉成位置に固定できると共に、全開時にも固定することができ、車椅子の利用者や高齢者の使用に適した回転折れ戸を提供するものである。
【課題を解決するための手段】
【０００６】
この発明は、以下のような内容である。
（１）上記目的を達成するため、本発明は第１扉と第２扉は閉成時に扉枠を含む鉛直面内に隣接配置されると共に、前記第１扉と第２扉は、両者を連結する縦連結枠部材の上下端部に設けられたヒンジ手段により折り畳み可能に構成される回転折れ戸であって、前記ヒンジ手段は、互いに噛み合う一対の歯車と、前記歯車とともに同軸で一体回動する一対のアーム材を有してなり、前記第１扉と第２扉は、上下端部において前記各アーム材に固定されて前記縦連結枠部材の外周面と所定間隔を有して回動可能に構成されると共に、前記ヒンジ手段は連動するラッチ機構が併設され、前記第１扉と第２扉とが１８０度及び平行状態になった場合に係合保持されるよう構成されたことを特徴とする。
（２）また、前記ラッチ機構は、前記ヒンジ手段の歯車とともに同軸で一体回動する一対のラッチ軸と、該ラッチ軸と共に回動する一対のラッチ円盤と、該ラッチ円盤から突出退避可能に配設されたラッチ爪の係合する係合部を有するラッチハウジングと備えたことを特徴とする。
（３）前記ラッチ機構は、前記それぞれのラッチ円盤に配設されたラッチ爪が対向する位置及び対向する位置から時計方向、或いは反時計方向に９０度回転した位置にそれぞれ係合部を備えたことを特徴とする。
（４）前記係合部は、前記ラッチハウジングに設けられたことを特徴とする。
（５）前記ラッチ機構は、前記ヒンジ手段の歯車とともに同軸で一体回動する一対のラッチ軸と、該ラッチ軸と共に回動する一対のラッチ円盤と、該ラッチ円盤の所定の位置に配設された磁石と、前記ラッチ円盤に配設された磁石と吸着しラッチ円盤を保持する逆極性の磁石を備えたラッチハウジングを備えたことを特徴とする。
（６）前記第２扉は、前記扉枠に回転可能に軸支されると共に、ドアクローザを設置したことを特徴とする。
【発明の効果】
【０００７】
この発明によれば、第１扉と第２扉は閉成時に扉枠を含む鉛直面内に隣接配置されると共に、前記第１扉と第２扉は、両者を連結する縦連結枠部材の上下端部に設けられたヒンジ手段により折り畳み可能に構成される回転折れ戸であって、前記ヒンジ手段は、互いに噛み合う一対の歯車と、前記歯車とともに同軸で一体回動する一対のアーム材を有してなり、前記第１扉と第２扉は、上下端部において前記各アーム材に固定されて前記縦連結枠部材の外周面と所定間隔を有して回動可能に構成されると共に、前記ヒンジ手段は連動するラッチ機構が併設され、前記第１扉と第２扉とが１８０度及び平行状態になった場合に係合保持されるので、折れ戸を閉じる際に減速させつつ確実に閉成位置に固定できると共に、全開時にも固定できる。つまり、ヒンジ手段と連動するラッチ機構により、精度よく所定の位置に第１扉と第２扉とを復帰させ、保持することができる。
また、前記ラッチ機構は、前記ヒンジ手段の歯車とともに同軸で一体回動する一対のラッチ軸と、該ラッチ軸と共に回動する一対のラッチ円盤と、該ラッチ円盤から突出退避可能に配設されたラッチ爪の係合する係合部を有するラッチハウジングと備えたので、ラッチ機構を第１扉と第２扉とを連結する縦連結枠部材に内蔵することができる。
また、前記ラッチ機構は、前記それぞれのラッチ円盤に配設されたラッチ爪が対向する位置及び対向する位置から時計方向、或いは反時計方向に９０度回転した位置にそれぞれ係合部を備えので、第１扉と第２扉とを閉じた状態、全開した状態においてそれぞれ保持固定することができる。また、扉を何れの方向に開いても全開した状態においてそれぞれ保持固定することができる。
また、前記係合部は、前記ラッチハウジングに設けられたので、ラッチ機構をコンパクトに構成することができる。
前記ラッチ機構は、前記ヒンジ手段の歯車とともに同軸で一体回動する一対のラッチ軸と、該ラッチ軸と共に回動する一対のラッチ円盤と、該ラッチ円盤の所定の位置に配設された磁石と、前記ラッチ円盤に配設された磁石と吸着しラッチ円盤を保持する逆極性の磁石を備えたラッチハウジングを備えたので、折れ戸を確実に閉成状態で保持固定できると共に、全開状態でも保持固定できる。
前記第２扉は、前記扉枠に回転可能に軸支されると共に、ドアクローザにより自閉式折れ戸とできると共に、第２扉の閉成速度調整できるので、折れ戸を閉じる際に減速させつつ確実に閉成位置に固定できると共に、全開時にも固定できる。
【図面の簡単な説明】
【０００８】
【図１】図１は、本発明の一実施形態を示す回転折れ戸の正面図である。
【図２】図２は、同回転折れ戸のヒンジ部を示す説明図である。
【図３】図３は、同回転折れ戸のヒンジ部を示す説明図である。
【図４】図４は、同回転折れ戸の吊車を示す説明図である。
【図５】図５は、同回転折れ戸の吊車を示す縦断面図である。
【図６】図６は、同回転折れ戸に使用されるヒンジ手段を示す平面図である。
【図７】図７は、同ヒンジ手段を示す要部縦断面図である。
【図８】図８は、同ヒンジ手段を示す断面斜視図である。
【図９】図９は、同ヒンジ手段を示す底面からの斜視図である。
【図１０】図１０は、同ヒンジ手段を示す分解斜視図である。
【図１１】図１１は、同ヒンジ手段を示す全体斜視図である。
【図１２】図１２は、同ヒンジ手段を示す要部分解断面図である。
【図１３】図１３は、同回転折れ戸の閉成状態を示す平面図である。
【図１４】図１４は、同回転折れ戸の開く途中を示す平面図である。
【図１５】図１５は、同回転折れ戸の開成状態を示す平面図である。
【図１６】図１６は、同回転折れ戸の閉成状態を示す平面図である。
【図１７】図１７は、同回転折れ戸の逆方向へ開く途中を示す平面図である。
【図１８】図１８は、同回転折れ戸の逆方向への開成状態を示す平面図である。
【図１９】図１９は、同回転折れ戸に使用されるラッチ機構を示す説明図である。
【図２０】図２０は、同ラッチ機構が１５度開いた状態を示す説明図である。
【図２１】図２１は、同ラッチ機構が９０度開いた状態を示す説明図である。
【図２２】図２２は、別の実施例に係るラッチ機構の動作説明図である。
【図２３】図２３は、別の実施例に係るラッチ機構の動作説明図である。
【図２４】図２４は、別の実施例に係るラッチ機構の動作説明図である。
【発明を実施するための形態】
【０００９】
本発明の回転折れ戸は、第１扉と第２扉は閉成時に扉枠を含む鉛直面内に隣接配置されると共に、前記第１扉と第２扉は、両者を連結する縦連結枠部材の上下端部に設けられたヒンジ手段により折り畳み可能に構成されたものであって、前記ヒンジ手段は、互いに噛み合う一対の歯車と、前記歯車とともに同軸で一体回動する一対のアーム材を有してなり、前記第１扉と第２扉は、上下端部において前記各アーム材に固定されて前記縦連結枠部材の外周面と所定間隔を有して回動可能に構成されると共に、前記ヒンジ手段は連動するラッチ機構が併設され、前記第１扉と第２扉とが１８０度及び平行状態になった場合に係合保持されるので、折れ戸を閉じる際に減速させつつ確実に閉成位置に固定できると共に、全開時にも固定できる。
【実施例１】
【００１０】
以下、一実施の形態を示す図面に基づいて本発明を詳細に説明する。図１は本発明の一実施形態を示す回転折れ戸の正面図、図２は本発明の回転折れ戸のヒンジ部を示す説明図、図３は本発明の回転折れ戸のヒンジ部を示す説明図、図４は本発明の回転折れ戸の吊車を示す説明図、図５は本発明の回転折れ戸の吊車を示す縦断面図である。ここで回転折れ戸１０は、第１扉１１と第２扉１２は閉成時に扉枠１３を含む鉛直面内に隣接配置されると共に、第１扉１１と第２扉１２は、両者を連結する縦連結枠部材１４の上下端部に設けられたヒンジ手段１５により折り畳み可能に構成されるものであって、前記ヒンジ手段１５は、互いに噛み合う一対の歯車１６と、歯車１６とともに同軸で一体回動する一対のアーム材１７を有してなり、第１扉１１と第２扉１２は、上下端部において各アーム材１７に固定されて縦連結枠部材１４の外周面１４ａと所定間隔を有して回動可能に構成されると共に、ヒンジ手段１５は連動するラッチ機構１８が併設され、第１扉１１と第２扉１２とを１８０度及び平行状態になった場合に係合保持することができる。
【００１１】
また、回転折れ戸１０は、第１扉１１と第２扉１２との間に介在した縦連結枠部材１４を押すか又は引く操作、若しくは第１扉１１の自由端を回動する操作により、前記ヒンジ手段１５により軸支されているので重なる方向に回動し、第１扉１１の上端に設けた吊車２１が扉枠１３の上枠体２０に設けてある吊りレール部材２２に沿って走行しながら相互に重合するように折り畳まれて、第１扉１１が第２扉１２側に引き寄せられることにより、扉枠１３が開放するようになっている。更に、扉枠１３は左右の縦枠材１９、１９と、これら左右の縦枠材１９、１９の上端に両端が固着されて一体化された上枠体２０とからなる門型である。
【００１２】
また、図２、３に示すように第２扉１２は、上端部を上枠体２０に回動可能に軸支されると共に、下端部をＬ字金具２６を介して縦枠材１９に回動可能に軸支されるている。更に、第２扉１２には、ドアクローザ２７が設けられており、自閉式折れ戸とできると共に、第２扉１２の閉成速度を調整することができる。
【００１３】
図４、５に示すように第１扉１１は、上枠体２０に設けてある吊りレール部材２２内を走行する吊車２１により前記扉枠１３の上枠体２０に移動可能に吊下されている。更に、第１扉１１の先端部とこれに対応する縦枠材１９の位置に固定マグネット２４、２５を設けてもよい。また、図１に示すように第１扉１１には、開閉操作のための取手３６及びサムターン錠３７が取付けられている。
【００１４】
吊車２１は、回転可能に取り付けられた４つの車輪２１ａが、吊りレール部材２２上を走行可能に構成されている。その走行範囲は、回転折れ戸１０が閉鎖状態にあるときの位置から、完全に開放されたときの上枠体２０の右端近傍の位置までである。
このように構成することで、回転折れ戸１０が強風や強い力で閉じても、静かにゆっくりと閉じることができる。また、固定マグネット２４、２５によって回転折れ戸１０の閉成時に扉を扉枠１３の中心に戻すことができる。
【００１５】
図６は、回転折れ戸に使用されるヒンジ手段を示す平面図、図７はヒンジ手段を示す要部縦断面図、図８はヒンジ手段を示す断面斜視図、図９はヒンジ手段を示す底面からの斜視図、図１０はヒンジ手段を示す分解斜視図である。ここで、ヒンジ手段１５は、互いに噛み合う一対の歯数等しい歯車１６、１６と、この歯車１６に円環部１７ａが固定され、歯車とともに同軸で一体回動する一対のアーム材１７、１７を有してなり、歯車１６は平面視で亜鈴型のハウジング２８内に回動可能に収納されている。アーム材１７の他端１７ｂは、延設されて扉体に固定するためのビス孔１７ｃを有している。
【００１６】
ラッチ機構１８は、前記ヒンジ手段１５の歯車１６とともに同軸で一体回動する一対のラッチ軸２９と、このラッチ軸２９と共に回動する一対のラッチ円盤３０と、このラッチ円盤３０から突出退避可能に配設されたラッチ爪３１の係合する係合部３２を有するラッチハウジング３３と備えている。ラッチ軸２９は、図１０、１２に示すように頂部に円盤状で中央に六角穴を有する頭部２９ａを、それから垂下した軸部に断面六角形の六角軸部２９ｂを、それに続く軸部に断面四角形の四角軸部２９ｃを、その下に螺子の形成された螺子部２９ｄを有している。そして、ラッチ軸２９の六角軸部２９ｂは、歯車１６の中央に形成された六角穴に嵌合し、四角軸部２９ｃは、ラッチ円盤３０の中央に形成された四角穴に嵌合する。
【００１７】
また、ラッチ機構１８は、それぞれのラッチ円盤３０に配設されたラッチ爪３１が対向する位置及び対向する位置から時計方向、或いは反時計方向に９０度回転した位置にそれぞれ係合部３２を備えている。具体的には、図１９等に示すように平面視で円を重ねたような亜鈴形のラッチハウジング３３のラッチ円盤３０が回転する空間３４のを隔てる中央壁部、この中央壁部から時計方向、及び反時計方向にそれぞれ９０度回転した位置に係合部３２を配設する。また、係合部３２の両側には、傾斜部３２ａが設けられており、傾斜部３２ａの頂部に係合部３２が配設されている。更に、ラッチ爪３１は、先端が尖っており、バネ３５によりラッチ円盤３０の一部に形成された収納孔から突出する方向に付勢されている。
【００１８】
ラッチハウジング３３は、上面中央にラッチ軸２９の通過する孔３８を有すると共に、ワッシャ３９を介してラッチ円盤３０がラッチ軸２９に嵌合され、その下からワッシャ、及び連結金具４５を介してラッチ軸２９に螺合される螺子４６によって、ラッチ軸２９とラッチ円盤３０が回転可能に収納される。また、ラッチハウジング３３の外周形状は、亜鈴形をしており、縦連結枠部材１４の外筒４７に挿着することができる（図１０、１１参照）。
【００１９】
他の実施例として、ラッチ機構４０は、図２２〜２１に示すように、ヒンジ手段１５の歯車１６とともに同軸で一体回動する一対のラッチ軸２９と、このラッチ軸２９と共に回動する一対のラッチ円盤４１と、ラッチ円盤４１の所定の位置に配設された磁石４２ａ、４２ｂ、４２ｃと、ラッチ円盤４１に配設された磁石４２ａ、４２ｂ、４２ｃと吸着しラッチ円盤４１を保持する逆極性の磁石４３を備えたラッチハウジング４４を備えて構成してもよい。また、ラッチ円盤４１に設けた磁石は、円盤の中心角に対してそれぞれ９０度づつの角度で配設されている。ラッチハウジング４４に備えた磁石４３は、左右で逆極性となるので、左側のラッチ円盤４１’は、逆極性の磁石４２ａ’、４２ｂ’、４２ｃ’を配設する。なお、磁石は、強力なネオジム磁石等を使用することができる。
【００２０】
次に、ヒンジ手段１５及びラッチ機構１８を組み立てて第１扉１１及び第２扉１２を縦連結枠部材１４に回動可能に取り付ける手順について説明する。
【００２１】
アーム材１７，１７は、円環部１７ａが歯車１６にビス等で固定されると共に連結金具２８ａを介して、歯車１６部分がハウジング２８内に収納される。また、一対の歯車１６、１６は、それぞれ中心に円筒状の突出部１６ａを有し、中心に六角形の孔が設けられている。そして、一対の歯車１６、１６は、各孔にラッチ軸２９の六角軸部２９ｂが挿入されて、ラッチ軸２９及びアーム材１７と一体的に回動する。
【００２２】
更に、ヒンジ手段１５の下には、ラッチ機構１８が取付けられる。ラッチ機構１８は、ヒンジ手段１５の歯車１６とともに同軸で一体回動する一対のラッチ軸２９と、このラッチ軸２９と共に回動する一対のラッチ円盤３０と、このラッチ円盤３０から突出退避可能に配設されたラッチ爪３１の係合する係合部３２を有するラッチハウジング３３とから構成されている。先ず、円環部１７ａの下にラッチハウジング３３が配設され、孔３８からラッチ軸２９が挿通される。ラッチ軸２９の四角軸部２９ｃには、ワッシャ３９を介してラッチ円盤３０が嵌合される。したがって、ラッチ円盤３０は、ラッチ軸２９及び歯車１６と一体的に回動する。また、下からワッシャ及び連結金具４５を介してラッチ軸２９に螺合される螺子４６によって、ラッチ軸２９にラッチ円盤３０が固定される。このようにしてラッチ機構１８の組み立てが完了する。
【００２３】
ヒンジ手段１５及びラッチ機構１８は、亜鈴形をした縦連結枠部材１４の外筒４７の上下に配置される。第１扉１１及び第２扉１２は、縦連結枠部材１４に取り付けられたヒンジ手段１５、１５の各アーム材１７、１７に、上下端でビス等で固定される。
【００２４】
次に、図１３〜図１５及び図１９〜図２１により回転折れ戸１０開閉動作を説明する。先ず、第１扉１１及び第２扉１２の閉成時には、扉枠１３内に１８０度の位置に並んでいる。また、ラッチ機構１８のラッチ爪３１は、それぞれ対向する向きあり、中央の係合部３２に係合している。取手３６或いは第１扉１１を押すと、ヒンジ手段１５及びラッチ機構１８により、第１扉１１と第２扉１２は折れ曲がり、ラッチ爪３１が係合部３２から解除される。また、第１扉１１は吊車２１により回動及び後退する（図１４、図２０参照）。
【００２５】
第１扉１１と第２扉１２を更に折り曲げ、第１扉１１と第２扉１２が平行状態になるまで開くと、図１５、図２１に示すように扉が全開し、ラッチ機構１８のラッチ爪３１は、閉成時と９０度の位置にある係合部３２と係合する。この際、ラッチ爪３１は、係合部３２の両側にある傾斜部を徐々に乗り上げて移動するので、扉の閉じる速度が減速されて、静かに閉じることができる。また、指詰め等を防止することができる。更に、ラッチ爪３１と係合部３２が係合した状態では、全開状態が保持固定される。
【００２６】
図１６〜図１８は、第１扉１１及び第２扉１２を逆方向に開いた場合を示すものである。このように開成した場合には、ラッチ機構１８のラッチ爪３１は、ラッチハウジング３３の前回とは逆方向の９０度の位置にある係合部３２と係合して全開状態が保持固定される。
【００２７】
図２２〜図２４は、ラッチ機構４０の動作説明である。第１扉１１及び第２扉１２の閉成時には、扉枠１３内に１８０度の位置に並んでいる。また、ラッチ機構４０の磁石４２ａは、それぞれ対向する向きあり、中央のラッチハウジング４４に設けられた磁石４３と係合している。したがって、閉成状態で保持される。
また、第１扉１１を押すと、ヒンジ手段１５及びラッチ機構４０により、第１扉１１と第２扉１２は折れ曲がり、磁石４２ａが磁石４３から解除される。
【００２８】
第１扉１１と第２扉１２を更に折り曲げ、第１扉１１と第２扉１２が平行状態になるまで開くと、扉が全開し、ラッチ機構４０の磁石４２ｂが磁石４３と係合する。ラッチ円盤４１に配設された磁石４２ａ、４２ｂ、４２ｃはそれぞれ９０度の位置にある。したがって、第１扉１１と第２扉１２を逆方向に開いても、それぞれ、全開状態が保持固定される。
【００２９】
このように本発明の回転折れ戸は、ラッチ機構により確実に閉成位置に固定できると共に、全開時にも固定できる。
【００３０】
本発明の回転折れ戸は、車椅子や老人でも使用できるので、病院や養護施設、老人ホーム等に使用することができる。
【符号の説明】
【００３１】
１０    回転折れ戸
１１    第１扉
１２    第２扉
１３    扉枠
１４    縦連結枠部材
１４ａ  外周面  
１５    ヒンジ手段
１６    歯車
１７    アーム材
１７ａ  円環部
１７ｂ  他端
１７ｃ  ビス孔
１８    ラッチ機構
１９    縦枠材
２０    上枠体
２１    吊車
２２    吊りレール部材
２４    固定マグネット
２５    固定マグネット
２６    Ｌ字金具
２７    ドアクローザ
２８    ハウジング
２８ａ  連結金具
２９    ラッチ軸
２９ａ  頭部
２９ｂ  六角軸部
２９ｃ  四角軸部
２９ｄ  螺子部
３０    ラッチ円盤
３１    ラッチ爪
３２    係合部
３３    ラッチハウジング
３４    空間
３５    バネ
３６    取手
３７    サムターン錠
３８    孔
３９    ワッシャ
４０    ラッチ機構
４１    ラッチ円盤
４２ａ、ｂ、ｃ  磁石
４３    磁石
４４    ラッチハウジング
４５    連結金具
４６    螺子
４７    外筒
【図１】
2015212493.tif 000003
【図２】
2015212493.tif 000004
【図３】
2015212493.tif 000005
【図４】
2015212493.tif 000006
【図５】
2015212493.tif 000007
【図６】
2015212493.tif 000008
【図７】
2015212493.tif 000009
【図１２】
2015212493.tif 000010
【図１３】
2015212493.tif 000011
【図１４】
2015212493.tif 000012
【図１５】
2015212493.tif 000013
【図１６】
2015212493.tif 000014
【図１７】
2015212493.tif 000015
【図１８】
2015212493.tif 000016
【図１９】
2015212493.tif 000017
【図２０】
2015212493.tif 000018
【図２１】
2015212493.tif 000019
【図２２】
2015212493.tif 000020
【図２３】
2015212493.tif 000021
【図２４】
2015212493.tif 000022
【図８】
2015212493.tif 000023
【図９】
2015212493.tif 000024
【図１０】
2015212493.tif 000025
【図１１】
2015212493.tif 000026